(57)【要約】      （修正有）【課題】より円滑にユーザーの所有する携帯端末装置からユーザーの要求する印刷を行うことができる印刷システムを提供する。【解決手段】印刷システム２４は、携帯端末装置４１と、携帯端末装置と無線接続が可能な情報処理装置としての複合機１１ａと、それぞれ情報処理装置と通信可能な複数の複合機１１ｂ、１１ｃとを含む。複合機は、複合機制御部１２に、導出部と、リスト生成部と、複合機送信制御部とを備える。導出部は、各印刷可能ジョブ情報に基づき、要求印刷ジョブをどの程度実行できるかを導出する。リスト生成部は、導出部により導出された各複合機における要求印刷ジョブをどの程度実行できるかを示すリストを生成する。携帯端末装置は、複合機送信制御部により送信されされたリストの情報をタッチパネル４５に表示する表示制御部を備える。【選択図】図２
2018073108.tif 000002
【特許請求の範囲】
【請求項１】
携帯端末装置と、前記携帯端末装置と無線接続が可能な情報処理装置と、それぞれ前記情報処理装置と通信可能な複数の印刷装置とを含む印刷システムであって、
前記携帯端末装置は、
情報を表示する表示部と、
前記表示部に情報を表示するよう制御する表示制御部と、
前記情報処理装置に対して要求する要求印刷ジョブ情報を送信するよう制御する携帯端末装置送信制御部と、
外部から送信される情報を受信する携帯端末装置受信部とを備え、
各前記印刷装置は、
前記印刷装置において印刷可能な印刷ジョブである印刷可能ジョブ情報を前記情報処理装置に対して送信するよう制御する印刷装置送信制御部と、
前記携帯端末装置からの印刷ジョブを受信する印刷装置受信部と、
前記印刷装置受信部により受信された前記印刷ジョブを実行して印刷する印刷部とを備え、
前記情報処理装置は、
前記携帯端末装置から送信される前記要求印刷ジョブ情報、および各前記印刷装置から送信される前記印刷可能ジョブ情報を受信する情報処理装置受信部と、
各印刷可能ジョブ情報に基づき、前記要求印刷ジョブをどの程度実行できるかを導出する導出部と、
前記導出部により導出された各前記印刷装置における前記要求印刷ジョブをどの程度実行できるかを示すリストを生成するリスト生成部と、
前記リスト生成部により生成された前記リストの情報を前記携帯端末装置に送信するよう制御する情報処理装置送信制御部とを備え、
前記表示制御部は、前記情報処理装置送信制御部により送信され、前記携帯端末装置受信部により受信された前記リストの情報を前記表示部に表示するよう制御する、印刷システム。
【請求項２】
前記情報処理装置は、複数の前記印刷装置のうちの一つと兼用されている、請求項１に記載の印刷システム。
【請求項３】
前記表示制御部は、前記導出部により導出された前記要求印刷ジョブをどの程度実行できるかに応じて、前記リストにおける表示の態様を変更して表示するよう制御する、請求項１または２に記載の印刷システム。
【請求項４】
前記表示制御部は、前記要求印刷ジョブが実行できない前記印刷装置を、グレーアウトして表示するよう制御する、請求項３に記載の印刷システム。
【請求項５】
前記携帯端末装置は、前記表示部に表示された前記リストから、前記要求印刷ジョブを実行させる前記印刷装置の選択を受け付ける選択受け付け部をさらに備える、請求項１〜４のいずれかに１項に記載の印刷システム。
【請求項６】
前記選択受け付け部は、前記要求印刷ジョブが実行できない前記印刷装置の選択を受け付けない、請求項５に記載の印刷システム。
【請求項７】
前記表示制御部は、前記選択受け付け部により選択が受け付けられた前記印刷装置による前記要求印刷ジョブの実行が不完全であれば、その旨を前記表示部に表示するよう制御する、請求項５または６に記載の印刷システム。
【発明の詳細な説明】
【技術分野】
【０００１】
この発明は、印刷システムに関するものである。
【背景技術】
【０００２】
複合機に代表される印刷装置においては、感光体に対して画像データを基に光を照射し、感光体上に静電潜像を形成する。その後、形成した静電潜像の上に帯電したトナーを供給して可視画像とする。そして、用紙にトナーを転写した後、用紙にトナーを定着させる。トナーが定着された用紙は、装置外に排出される。
【０００３】
昨今、印刷装置において、無線通信等により携帯端末装置から画像データを受信し、印刷する場合がある。印刷装置における無線通信に関する技術が、特開２００３−２４１９４０号公報（特許文献１）、特開２００９−２５１８２３号公報（特許文献２）、および特開２０１０−２４１１１４号公報（特許文献３）に開示されている。
【０００４】
特許文献１に開示の画像情報通信システムは、ネットワーク接続された複数台の通信機能付き画像形成装置と、表示部を有し前記画像形成装置に無線通信網を介して画像情報を送信可能な携帯端末装置とを含む。特許文献１に開示の画像情報通信システムは、前記携帯端末装置から前記複数台の画像形成装置のうちの１台に対して画像情報の出力量九が送信された際に、当該画像形成装置が画像出力不可状態であった場合、当該画像形成装置はネットワーク接続された他の画像形成装置の中からプリント可能状態にある画像形成装置を検索し、該プリント可能状態にある画像形成装置の情報を前記携帯端末装置に送信して前記表示部に表示させることを特徴としている。
【０００５】
特許文献２に開示の無線印刷システムは、情報処理装置と印刷装置とを有し、前記情報処理装置と前記印刷装置との間で近接無線を用いた通信が可能である。前記情報処理装置は、前記印刷装置との間で前記近接無線による通信が可能になったことを検出する検出手段と、前記検出手段によって前記近接無線による通信が可能になったことを検出した場合に、自身が備える表示部に表示している文書について前記印刷装置で印刷可能な形式の印刷データを生成する生成手段と、前記生成手段で生成された印刷データを、前記近接無線を用いて前記印刷装置に送信する送信手段とを備える。前記印刷装置は、前記情報処理装置から前記近接無線を介して受信した前記印刷データを印刷することを特徴としている。
【０００６】
特許文献３に開示の画像形成装置は、携帯端末装置の近接に伴って短距離通信手段にて無線接続を確立して当該短距離通信手段よりも長距離での無線通信が可能な近距離通信手段のための通信設定情報を受け取った後、当該通信設定情報を使用して前記近距離通信手段にて無線接続を確立して、前記携帯端末装置から前記近距離通信手段にて受信したデータをデータ処理部にてデータ処理し、前記データ処理部により処理されたデータの出力をプリンター部にて行う。特許文献３に開示の画像形成装置は、前記近距離通信手段にて受信した前記データに画像処理の制御に関するデータが含まれていると判断した場合には、そのデータ内容に従って、前記データ処理部または前記プリンター部で行う処理内容を制御する制御部を備えることを特徴としている。
【先行技術文献】
【特許文献】
【０００７】
【特許文献１】特開２００３−２４１９４０号公報
【特許文献２】特開２００９−２５１８２３号公報
【特許文献３】特開２０１０−２４１１１４号公報
【発明の概要】
【発明が解決しようとする課題】
【０００８】
特許文献１によると、ある画像形成装置に出力要求をした後に、再度代替の画像形成装置に出力要求をする必要がある。このような操作は、ユーザーにとって煩雑となり、望ましいものではない。
【０００９】
特許文献２では、出力に要するユーザーの操作の簡略化を図ることができる。しかし、ユーザーの所望する印刷となっているか否かは不明であり、結果として再度の印刷を行う必要が生じるおそれもある。そうすると、結局、無駄な印刷が発生したり、ユーザーの操作の手間となってしまう。
【００１０】
特許文献３においても、選択された画像形成装置の能力がユーザーの所望するものではなかった場合、所望する能力を有する画像形成装置が選択されるまでＮＦＣ（Ｎｅａｒ  Ｆｉｅｌｄ  Ｃｏｍｍｕｎｉｃａｔｉｏｎ）通信を行う必要があり、ユーザーの作業が増加してしまうおそれがある。
【００１１】
この発明の目的は、より円滑にユーザーの所有する携帯端末装置からユーザーの要求する印刷を行うことができる印刷システムを提供することである。
【課題を解決するための手段】
【００１２】
この発明に係る印刷システムは、携帯端末装置と、携帯端末装置と無線接続が可能な情報処理装置と、それぞれ情報処理装置と通信可能な複数の印刷装置とを含む。携帯端末装置は、情報を表示する表示部と、表示制御部と、携帯端末装置送信制御部と、携帯端末装置受信部とを備える。表示制御部は、表示部に情報を表示するよう制御する。携帯端末装置送信制御部は、情報処理装置に対して要求する要求印刷ジョブ情報を送信するよう制御する。携帯端末装置受信部は、外部から送信される情報を受信する。各印刷装置は、印刷装置送信制御部と、印刷装置受信部と、印刷部とを備える。印刷装置送信制御部は、印刷装置において印刷可能な印刷ジョブである印刷可能ジョブ情報を情報処理装置に対して送信するよう制御する。印刷装置受信部は、携帯端末装置からの印刷ジョブを受信する。印刷部は、印刷装置受信部により受信された印刷ジョブを実行して印刷する。情報処理装置は、情報処理装置受信部と、導出部と、リスト生成部と、情報処理装置送信制御部とを備える。情報処理装置受信部は、携帯端末装置から送信される要求印刷ジョブ情報、および各印刷装置から送信される印刷可能ジョブ情報を受信する。導出部は、各印刷可能ジョブ情報に基づき、要求印刷ジョブをどの程度実行できるかを導出する。リスト生成部は、導出部により導出された各印刷装置における要求印刷ジョブをどの程度実行できるかを示すリストを生成する。情報処理装置送信制御部は、リスト生成部により生成されたリストの情報を携帯端末装置に送信するよう制御する。表示制御部は、情報処理装置送信制御部により送信され、携帯端末装置受信部により受信されたリストの情報を表示部に表示するよう制御する。
【発明の効果】
【００１３】
このような印刷システムによると、携帯端末装置には、印刷を要求する要求印刷ジョブに対して、各印刷装置における印刷可能ジョブ情報に基づき、印刷をどの程度実行できるかを示すリストの情報が送信され、携帯端末装置の表示部に表示される。そうすると、各印刷装置と通信を接続しなくとも、要求する印刷ジョブが実行可能な印刷装置の情報を取得することができる。したがって、より円滑にユーザーの所有する携帯端末装置からユーザーの要求する印刷を行うことができる。
【図面の簡単な説明】
【００１４】
【図１】この発明の一実施形態に係る画像形成システムの外観を示す概略図である。
【図２】図１に示す画像形成システムの構成を示すブロック図である。
【図３】複合機制御部の構成を示すブロック図である。
【図４】携帯端末装置に記憶されている画像データについて印刷ジョブを複合機のいずれかに要求し、印刷を行う場合の処理の流れを示すフローチャートである。
【図５】リストが表示されたタッチパネルの一例を示す図である。
【図６】要求印刷ジョブの実行が不完全である場合のタッチパネルの表示の一例を示す図である。
【発明を実施するための形態】
【００１５】
以下、この発明の実施の形態を説明する。図１は、この発明の一実施形態に係る印刷システムの外観を示す概略図である。図２は、図１に示す印刷システムの構成を示すブロック図である。
【００１６】
図１および図２を参照して、印刷システム２４は、ユーザーの所有する携帯端末装置４１と、三つの印刷装置としての複合機１１ａ、１１ｂ、１１ｃとを含む。複合機１１ａ、１１ｂ、１１ｃは、それぞれ通信が可能であり、ＬＡＮ（Ｌｏｃａｌ  Ａｒｅａ  Ｎｅｔｗｏｒｋ）接続のネットワーク２３で接続されている。一つの複合機１１ａが、携帯端末装置４１と無線接続が可能な情報処理装置として機能する。すなわち、この発明の一実施形態に係る印刷システム２４に含まれる情報処理装置は、複数の複合機１１ａ〜１１ｃのうちの一つである複合機１１ａと兼用されている。携帯端末装置４１は、複合機１１ａ、１１ｂ、１１ｃに対し、いずれかと接続を確立して印刷の要求を行い、印刷を行うことができる。
【００１７】
ここでまず、携帯端末装置４１の構成について説明する。携帯端末装置４１は、携帯端末装置制御部４２と、携帯端末装置受信部としての携帯端末装置通信部４３と、携帯端末装置記憶部４４と、情報を表示する表示部としてのタッチパネル４５と、テンキー４６と、機能選択キー４７とを備える。携帯端末装置制御部４２は、携帯端末装置４１全体の制御を行う。携帯端末装置通信部４３は、外部装置、具体的には、複合機１１ａ〜１１ｃとの接続を行うためのインターフェースである。携帯端末装置記憶部４４は、画像データや種々のデータを記憶する。タッチパネル４５は、携帯端末装置４１の情報を表示すると共に、入力のインターフェースとなる。ユーザーは、テンキー４６の押下により、０〜９までの数値やＡ〜Ｚまでのアルファベット等を入力することができる。また、ユーザーは、機能選択キー４７の所定の箇所を押下して、種々の操作を行うことができる。例えば、携帯端末装置４１における携帯電話機能を選択して、機能選択キー４７の押下により通話を開始したり、通話を終了させたりする。
【００１８】
また、携帯端末装置制御部４２は、表示制御部４８と、携帯端末装置送信制御部４９と、選択受け付け部５０とを含む。表示制御部４８は、タッチパネル４５に情報を表示するよう制御する。携帯端末装置送信制御部４９は、情報処理装置としての複合機１１ａに対して要求する要求印刷ジョブ情報を送信するよう制御する。選択受け付け部５０は、タッチパネル４５に表示された後述するリストから、要求印刷ジョブを実行させる複合機１１ａ〜１１ｃの選択を受け付ける。
【００１９】
次に、複合機１１ａの構成について説明する。なお、他の複合機１１ｂ、１１ｃは、複合機１１ａと同様の構成であるため、それらの説明を省略する。
【００２０】
複合機１１ａは、複合機制御部１２と、操作部１３と、画像読み取り部１４と、印刷部としての画像形成部１５と、給紙カセット１６と、複合機ハードディスク１７と、ネットワーク２３と接続するための複合機ネットワークインターフェース部１８と、複合機通信部２５とを備える。
【００２１】
複合機制御部１２は、複合機１１ａ全体の制御を行う。なお、複合機制御部１２は、ＣＰＵ等から構成されており、一時的にデータを記憶する主記憶メモリ１９を含む。操作部１３は、複合機１１ａ側から発信する情報やユーザーの入力内容を表示するタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。給紙カセット１６は、複数設けられており、それぞれ複数枚の用紙をその内部に収納することができる。画像形成部１５は、画像読み取り部１４により読み取られた原稿の画像データやネットワーク２３を介して送信された画像データを基に、給紙カセット１６等から搬送されてきた用紙に画像を形成する。複合機ハードディスク１７は、送信された画像データや入力された画像形成条件等、画像形成に関するデータを記憶する。複合機通信部２５は、外部装置、具体的には、携帯端末装置４１や不図示のタブレットＰＣとの接続を行うためのインターフェースである。複合機１１ａは、複合機通信部２５を通じて、外部装置から通信時に送信された画像データおよび印刷要求の命令を受信する。印刷装置受信部としての複合機通信部２５は、携帯端末装置通信部４３から送信される画像データや印刷ジョブを受信する。
【００２２】
次に、複合機制御部１２の構成について説明する。図３は、複合機制御部１２の構成を示すブロック図である。図３を参照して、複合機制御部１２は、導出部３１と、リスト生成部３２と、印刷装置送信制御部としての複合機送信制御部３３とを備える。導出部３１は、各印刷可能ジョブ情報に基づき、要求印刷ジョブをどの程度実行できるかを導出する。リスト生成部３２は、導出部３１により導出された各複合機１１ａ〜１１ｃにおける要求印刷ジョブをどの程度実行できるかのリストを生成する。ここで、要求印刷ジョブとは、携帯端末装置４１を介してユーザーが要求する印刷ジョブのことである。また、印刷可能ジョブ情報とは、各複合機１１ａ〜１１ｃにおいて、それぞれ印刷が可能な印刷ジョブの情報のことである。複合機送信制御部３３は、リスト生成部３２により生成されたリストの情報を携帯端末装置４１に送信するよう制御する。これらの構成については、後に詳述する。
【００２３】
次に、この発明の一実施形態に係る印刷システム２４により、携帯端末装置４１に記憶されている画像データに基づいて印刷ジョブを複合機１１ａ〜１１ｃのいずれかに要求し、印刷を行う場合について説明する。図４は、携帯端末装置４１に記憶されている画像データについて印刷ジョブを複合機１１ａ〜１１ｃのいずれかに要求し、印刷を行う場合の処理の流れを示すフローチャートである。
【００２４】
図４を参照して、まず、ユーザーは、自らの要求により、携帯端末装置記憶部４４に記憶されているファイルの画像データの中から、印刷を要求するファイルの画像データを選び出す。そして、選び出されたファイルの画像データに対して、印刷ジョブを設定する。この印刷ジョブは、ユーザーによって要求される要求印刷ジョブである。
【００２５】
そうすると、携帯端末装置４１は、印刷ジョブの設定を受け付ける（図４において、ステップＳ１１、以下、「ステップ」を省略する）。ここでは、フルカラーであってＢ５サイズの用紙への印刷という印刷ジョブを設定する。印刷ジョブの設定を終えた後に、携帯端末装置４１と複合機１１ａとの接続を確立する（Ｓ１２）。この場合、Ｗｉ−ｆｉ等の無線による接続を確立する。
【００２６】
その後、携帯端末装置４１と複合機１１ａとの通信が確立された状態で、要求印刷ジョブの情報を携帯端末装置４１から複合機１１ａへ送信する（Ｓ１３）。複合機１１ａは、設定された要求印刷ジョブの情報を受信する（Ｓ１４）。すなわち、フルカラーであってＢ５サイズの用紙への印刷という要求印刷ジョブの情報を複合機１１ａが受信する。
【００２７】
その後、複合機１１ａは、各複合機１１ａ、１１ｂ、１１ｃの印刷可能ジョブの情報を取得する（Ｓ１５）。この場合、ＬＡＮ接続されているネットワーク２３経由で、情報を取得する。具体的には、複合機１１ｂについては、フルカラーの印刷が可能であること、Ａ４サイズ、Ａ３サイズ、およびＢ４サイズの用紙への印刷が可能であるといった印刷可能ジョブ情報が取得される。また、複合機１１ｃについては、フルカラーの印刷が可能であること、Ａ４サイズ、Ａ３サイズ、Ｂ４サイズ、およびＢ５サイズの用紙への印刷が可能であるといった印刷可能ジョブ情報が取得される。なお、複合機１１ａについては、モノクロの印刷のみが可能であること、Ａ４サイズの用紙への印刷のみ可能であるといった印刷可能ジョブ情報を有し、自らがその印刷可能ジョブ情報を取得しているものとする。
【００２８】
その後、複合機１１ａに備えられる導出部３１は、要求印刷ジョブをどの程度実行できるかを導出する（Ｓ１６）。すなわち、導出部３１は、各印刷可能ジョブ情報に基づき、要求印刷ジョブをどの程度実行できるかを導出する。この場合、複合機１１ｃについては、要求印刷ジョブを全て実行できると判断される。複合機１１ｂについては、フルカラーの印刷は対応できるが、Ｂ５サイズの用紙への印刷は対応できないことが導出される。すなわち、不完全な要求印刷ジョブへの対応ができると判断される。また、複合機１１ａ、すなわち、自らについては、フルカラーの印刷、およびＢ５サイズの印刷の双方において対応できず、要求印刷ジョブが全く実行できないと判断される。この場合、複合機１１ａについては、要求印刷ジョブを全く実行できないことが導出され、複合機１１ｂについては、不完全ながら一部要求印刷ジョブを実行できることが導出され、複合機１１ｃについては、完全に要求印刷ジョブを実行できることが導出される。
【００２９】
そして、リスト生成部３２により、導出結果を基にリストが生成される（Ｓ１７）。すなわち、要求印刷ジョブに対する実行の程度に基づいてリストが生成される。
【００３０】
その後、生成されたリストの情報が、複合機１１ａから携帯端末装置４１に送信される（Ｓ１８）。表示制御部４８は、タッチパネル４５にリストを表示するよう制御する（Ｓ１９）。
【００３１】
図５は、リストが表示されたタッチパネル４５の一例を示す図である。図５を参照して、タッチパネル４５には、リスト５１が表示されている。リスト５１には、要求印刷ジョブとして「印刷ジョブＪ」との表示５２、複合機１１ａを示す複合機Ｘ１の表示５３ａ、複合機１１ｂを示す複合機Ｘ２の表示５３ｂ、複合機１１ｃを示す複合機Ｘ３の表示５３ｃがある。リスト５１においては、要求印刷ジョブをどの程度実行できるかに応じて、リスト５１における表示の態様を変更して表示するよう制御されている。ここで、表示５３ｂの横には、注意を示す「！」のマーク５４が表示されている。このマーク５４は、一応印刷はできるものの、要求印刷ジョブに対して不完全な印刷ジョブとなることを示すものである。表示５３ａは、いわゆるグレーアウトで表示されている。表示５３ａのグレーアウトについては、図５におけるハッチングで示している。表示５３ｃについては、何も特に表示がない。すなわち、複合機１１ｃを示す複合機Ｘ３の表示５３ｃは、要求印刷ジョブを完全に実行できることを示している。
【００３２】
ユーザーは、このタッチパネル４５に表示されたリスト５１を見て、いずれの複合機１１ａ〜１１ｃが要求印刷ジョブを実行できるかを把握することができる。この場合、表示５３ｃについては、グレーアウトされておらず、マーク５４の表示もないため、要求印刷ジョブが完全に実行できることが把握できる。
【００３３】
ここで、タッチパネル４５において、複合機Ｘ３の表示５３ｃの領域のタップを検知すると、複合機１１ｃが選択されたと判断される（Ｓ２０において、ＹＥＳ）。すなわち、選択受け付け部５０は、タッチパネル４５に表示されたリスト５１から、要求印刷ジョブを実行させる複合機１１ｃの選択を受け付ける。そうすると、選択された複合機１１ｃと携帯端末装置４１との通信を確立する（Ｓ２１）。この場合、上記した携帯端末装置４１と複合機１１ａとの間の通信と同様、Ｗｉ−ｆｉ接続により接続される。
【００３４】
そして、通信が確立した後、要求印刷ジョブＪを複合機１１ｃに送信する（Ｓ２２）。選択された複合機１１ｃが要求印刷ジョブＪを受信すると（Ｓ２３）、要求印刷ジョブに従って印刷して出力する（Ｓ２４）。この場合、フルカラーの印刷、およびＢ５サイズの用紙の印刷といった要求印刷ジョブを完全に実行することができる。
【００３５】
このような印刷システム２４によると、携帯端末装置４１には、印刷を要求する要求印刷ジョブに対して、各複合機１１ａ〜１１ｃにおける印刷可能ジョブ情報に基づき、印刷をどの程度実行できるかを示すリスト５１の情報が送信され、携帯端末装置４１のタッチパネル４５に表示される。そうすると、各複合機１１ａ〜１１ｃと通信を接続しなくとも、要求する印刷ジョブが実行可能な複合機１１ａ〜１１ｃの情報を取得することができる。したがって、より円滑にユーザーの所有する携帯端末装置４１からユーザーの要求する印刷を行うことができる。
【００３６】
この場合、表示制御部４８は、導出部３１により導出された要求印刷ジョブをどの程度実行できるかに応じて、リスト５１における表示の態様を変更して表示するよう制御しているため、ユーザーの要求に応じた複合機１１ａ〜１１ｃの選択が容易となる。
【００３７】
また、この場合、表示制御部４８は、要求印刷ジョブが実行できない複合機１１ａを、グレーアウトして表示するよう制御しているため、より明確に、要求印刷ジョブを実行できない複合機１１ａを把握することができる。
【００３８】
また、この場合、携帯端末装置４１は、タッチパネル４５に表示されたリスト５１から、要求印刷ジョブを実行させる複合機１１ａ〜１１ｃの選択を受け付ける選択受け付け部５０を備える構成であるため、より円滑に要求印刷ジョブを実行させる複合機１１ａ〜１１ｃを選択して、要求印刷ジョブＪを実行させることができる。
【００３９】
また、この場合、選択受け付け部５０は、要求印刷ジョブが実行できない複合機１１ａの選択を受け付けない構成としている。したがって、ユーザーが誤って複合機１１ａを選択するおそれをなくすことができる。
【００４０】
なお、Ｓ２０において、複合機１１ａ〜１１ｃのいずれも選択されなければ（Ｓ２０において、ＮＯ）、そのまま処理を終了する。こうすることにより、ユーザーが、要求印刷ジョブに対して、印刷が完全に実行できる複合機１１ｃを把握することができる。
【００４１】
また、例えば、現在滞在しているユーザーの位置から複合機１１ｃが設置されている場所が遠い等の場合には、ユーザーが納得すれば、不完全な要求印刷ジョブの実行を、複合機１１ｂに対して行うことができる。こうすることにより、ユーザーの納得した印刷を行うことができる。
【００４２】
この場合、複合機１１ｂにおいて、要求印刷ジョブが不完全に実行される。したがって、表示制御部４８は、選択受け付け部５０により選択が受け付けられた複合機１１ｂによる要求印刷ジョブの実行が不完全であれば、その旨をタッチパネル４５に表示するよう制御してもよい。
【００４３】
図６は、要求印刷ジョブの実行が不完全である場合のタッチパネル４５の表示の一例を示す図である。図６を参照して、タッチパネル４５には、「印刷ジョブの実行が不完全です。内容を確認してください。」とのメッセージ５６が表示される。こうすることにより、複合機１１ｂにおいて、不完全な要求印刷ジョブが実行された旨を、携帯端末装置４１を所有するユーザーに視覚的に報知することができる。この場合、不完全な要求印刷ジョブの内容、具体的には、Ｂ５サイズの用紙への印刷ができていない旨を併せて表示するようにしてもよい。
【００４４】
なお、上記の実施の形態においては、情報処理装置は、複数の複合機１１ａ〜１１ｃのうちの一つである複合機１１ａと兼用されていることとしたが、これに限らず、例えば、携帯端末装置４１と無線接続が可能であって、複合機１１ａ〜１１ｃと通信可能であるコンピューターを情報処理装置として適用することとしてもよい。
【００４５】
また、上記の実施の形態において、表示制御部４８は、導出部３１により導出された要求印刷ジョブをどの程度実行できるかに応じて、リスト５１における表示の態様を変更して表示するよう制御することとしたが、これに限らず、表示制御部４８は、完全に要求印刷ジョブが実行できる複合機１１ｃのみをリスト５１として表示するよう制御してもよい。こうすることにより、より確実に要求印刷ジョブを実行することができる。
【００４６】
また、上記の実施の形態において、携帯端末装置４１は、選択受け付け部５０を備えない構成としてもよい。こうすることによっても、ユーザーは、リスト５１による表示で、要求印刷ジョブが実行できる複合機１１ａ〜１１ｃを把握することができる。
【００４７】
なお、取得した印刷可能ジョブの情報については、携帯端末装置記憶部４４に記憶させて、再度利用することにしてもよい。すなわち、印刷可能ジョブの一覧であるリスト５１の情報を携帯端末装置記憶部４４に記憶させるようにしてもよい。
【００４８】
なお、印刷を実行させる複合機１１ｃに対して、ユーザーとの距離が近ければ、ＮＦＣ通信で、携帯端末装置４１と複合機１１ｃとを接続して、複合機１１ｃの印刷ジョブを送信することとしてもよい。また、通信時には、ＱＲコード（登録商標）や二次元バーコードを利用して、接続情報を取得することとしてもよい。
【００４９】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５０】
この発明に係る印刷システムは、ユーザーの所有する携帯端末装置からより円滑なユーザーの要求する印刷の要求がなされる場合に、特に有効に利用される。
【符号の説明】
【００５１】
１１ａ，１１ｂ，１１ｃ  複合機、１２  複合機制御部、１３  操作部、１４  画像読み取り部、１５  画像形成部、１６  給紙カセット、１７  複合機ハードディスク、１８  複合機ネットワークインターフェース部、１９  主記憶メモリ、２１  表示画面、２２  ＡＤＦ、２３  ネットワーク、２４  印刷システム、２５  複合機通信部、３１  導出部、３２  リスト生成部、３３  複合機送信制御部、４１  携帯端末装置、４２  携帯端末装置制御部、４３  携帯端末装置通信部、４４  携帯端末装置記憶部、４５  タッチパネル、４６  テンキー、４７  機能選択キー、４８  表示制御部、４９  携帯端末装置送信制御部、５０  選択受け付け部、５１  リスト、５２，５３ａ，５３ｂ，５３ｃ  表示、５４  マーク、５６  メッセージ。
【図１】
2018073108.tif 000003
【図２】
2018073108.tif 000004
【図３】
2018073108.tif 000005
【図４】
2018073108.tif 000006
【図５】
2018073108.tif 000007
【図６】
2018073108.tif 000008